(57)【要約】【課題】発注データを基に発注側から指定された形式の出荷データを生成すること。【解決手段】商品受注側の基幹コンピュータ１００が、定義データ格納部１０４に格納した引継マッピングパラメータファイルテーブル部及び特殊関数テーブル部から発注データ１０７に対応した引継マッピングパラメータファイル設定項目及び特殊関数を取得し、取得した引継マッピングパラメータファイル設定項目と特殊関数と前記発注データの所定項目とを基に出荷データ１０８を生成して発注側の基幹コンピュータ１１３に送信する出荷データ生成システム。【選択図】図１
2012003699.tif 000002
【特許請求の範囲】
【請求項１】
発注側の基幹コンピュータから所定フォーマット形式の発注データを受信し、前記受信した発注データを基に前記発注側の基幹コンピュータに出荷データを送信する受注側の基幹コンピュータを備える出荷データ生成システムであって、前記受信した発注データを管理する発注蓄積テーブル部と出荷データの生成に必要なデータ管理する発注管理テーブル部と発注側の基幹コンピュータへ送信する出荷データを管理する出荷蓄積テーブル部を格納した蓄積データベースと、前記発注データを出荷データに引き継ぐ引継マッピングパラメータファイル設定項目を定義する引継マッピングパラメータファイルテーブル部と前記引継マッピングパラメータファイルテーブル部の特殊関数を定義する特殊関数テーブル部と前記引継マッピングパラメータファイルテーブル部に設定する項目の設定パターンを定義する設定パターンテーブル部とを格納した定義データ格納部と、前記発注側の基幹コンピュータから発注データを受信して前記発注蓄積テーブル部に格納する発注データ受信処理部と、前記定義データ格納部に格納した引継マッピングパラメータファイルテーブル部及び特殊関数テーブル部から前記発注蓄積テーブル部に格納した発注データに対応した引継マッピングパラメータファイル設定項目及び特殊関数を取得し、前記取得した引継マッピングパラメータファイル設定項目と特殊関数と前記発注データの所定項目とを基に出荷データを生成して前記出荷蓄積テーブル部に格納する発注データ引継処理部と、前記出荷蓄積テーブル部に格納した出荷データを発注側の基幹コンピュータに送信する出荷データ送信処理部とを備えた出荷データ生成システム。
【請求項２】
前記引継マッピングパラメータファイルテーブル部が、引継ぎ先のテーブル名を設定するテーブル名引数と、引継ぎ月のフィールド名を設定するマッピング先フィールド名引数と、引継ぎ先フィールドのインデックスを指定するマッピング先フィールド位置引数と、発注蓄積テーブル部から項目を引き継ぐフラグを設定するマッピング元発注テーブル引数と、発注管理テーブル部から項目を引き継ぐフラグを設定するマッピング元発注管理テーブル引数と、特殊関数の定義を設定する特殊関数指示引数と、発注側の基幹コンピュータから指定された文字列因数とを格納し、前記発注データ引継処理部が前記引継マッピングパラメータファイルテーブル部に格納された前記引数を参照して出荷データを生成する請求項１記載の出荷データ生成システム。
【請求項３】
受信した発注データを管理する発注蓄積テーブル部と出荷データの生成に必要なデータ管理する発注管理テーブル部と発注側の基幹コンピュータへ送信する出荷データを管理する出荷蓄積テーブル部を格納した蓄積データベースと、発注データを出荷データに引き継ぐ引継マッピングパラメータファイル設定項目を定義する引継マッピングパラメータファイルテーブル部と前記引継マッピングパラメータファイルテーブル部の特殊関数を定義する特殊関数テーブル部と前記引継マッピングパラメータファイルテーブル部に設定する項目の設定パターンを定義する設定パターンテーブル部とを格納した定義データ格納部とを有する基幹コンピュータが、発注側の基幹コンピュータから所定フォーマッ形式の発注データを受信し、受信した発注データを基に前記発注側の基幹コンピュータに出荷データを送信する受注側の基幹コンピュータが実行する出荷データ生成方法であって、前記基幹コンピュータが、前記発注側の基幹コンピュータから発注データを受信して前記発注蓄積テーブル部に格納する発注データ受信処理機能と、前記定義データ格納部に格納した引継マッピングパラメータファイルテーブル部及び特殊関数テーブル部から前記発注蓄積テーブル部に格納した発注データに対応した引継マッピングパラメータファイル設定項目及び特殊関数を取得し、取得した引継マッピングパラメータファイル設定項目と特殊関数と前記発注データの所定項目とを基に出荷データを生成して前記出荷蓄積テーブル部に格納する発注データ引継処理機能と、前記出荷蓄積テーブル部に格納した出荷データを発注側の基幹コンピュータに送信する出荷データ送信処理機能とを実行する出荷データ生成方法。
【請求項４】
前記引継マッピングパラメータファイルテーブル部に、引継ぎ先のテーブル名を設定するテーブル名引数と、引継ぎ月のフィールド名を設定するマッピング先フィールド名引数と、引継ぎ先フィールドのインデックスを指定するマッピング先フィールド位置引数と、発注蓄積テーブル部から項目を引き継ぐフラグを設定するマッピング元発注テーブル引数と、発注管理テーブル部から項目を引き継ぐフラグを設定するマッピング元発注管理テーブル引数と、特殊関数の定義を設定する特殊関数指示引数と、発注側の基幹コンピュータから指定された文字列因数とを格納し、前記発注データ引継処理部が、前記引継マッピングパラメータファイルテーブル部に格納された前記引数を参照して出荷データを生成機能を実行する請求項３記載の出荷データ生成方法。
【発明の詳細な説明】
【技術分野】
【０００１】
本発明は、商取引に関する情報を標準的なフォーマットに統一し、企業間で電子的に交換する仕組みである電子データ交換（ＥＤＩ：Ｅｌｅｃｔｒｏｎｉｃ  Ｄａｔａ  Ｉｎｔｅｒｃｈａｎｇｅ）システムにおける出荷データを容易に生成することができる出荷データ生成システム及び出荷データ生成方法に関する。
【背景技術】
【０００２】
一般に従来技術によるＥＤＩシステムは、企業間の商取引における発注情報や出荷情報を標準的なフォーマット（書式）に統一し、電子的にデータ交換を行うためのものであって、例えば、店頭に一定の在庫がある商店等の発注側の企業と前記商店から商品注文を受注して販売する商品受注側の企業間のＥＤＩシステムの場合、発注側企業ではＰＯＳ（Ｐｏｉｎｔ  Ｏｆ  Ｓａｌｅｓ）システムによって商品の在庫を管理し、商品が不足した際に該当の商品に対する発注データを商品受注側の企業に送信し、この発注データを受けた商品受注側企業の基幹コンピュータが商品受注から発送の業務管理と取引先側に商品の出荷データを送信することが行われている。
【０００３】
前記ＥＤＩシステムに関する技術が記載された文献としては、例えば次の特許文献１が挙げられ、この特許文献１には、発注データを受信した商品受注側企業の基幹コンピュータが、受信した発注データと出荷データとが一致するか否かを判定し、前記出荷データを基に出荷通知書を作成する技術が記載されている。
【先行技術文献】
【特許文献】
【０００４】
【特許文献１】特開２０１０−６６８７４号公報
【発明の概要】
【発明が解決しようとする課題】
【０００５】
前記の特許文献１に記載されたＥＤＩシステムは、発注データを出荷データに引き継ぐことによって、一元的な情報を基に誤発注を防止する技術が記載されているものの、受注側企業が発注側企業から指定されたフォーマット（項目順、桁数等）の出荷データを作成する必要があるが、この指定されたフォーマットへの変換作業は人手を必要とするため、発注データから個々の発注側企業から指定された出荷データを作成する作業が繁雑であるという課題があった。
【０００６】
本発明の目的は、前述の従来技術による課題を除去することであり、発注側企業から受信した発注データを基に発注側企業から指定されたフォーマットの出荷データを容易に作成することができる出荷データ生成システム及び出荷データ生成方法を提供することである。
【課題を解決するための手段】
【０００７】
前記の目的を達成するために請求項１記載の本発明は、発注側の基幹コンピュータから所定フォーマット形式の発注データを受信し、受信した発注データを基に前記発注側の基幹コンピュータに出荷データを送信する受注側の基幹コンピュータを備える出荷データ生成システムであって、受信した発注データを管理する発注蓄積テーブル部と出荷データの生成に必要なデータ管理する発注管理テーブル部と発注側の基幹コンピュータへ送信する出荷データを管理する出荷蓄積テーブル部を格納した蓄積データベースと、発注データを出荷データに引き継ぐ引継マッピングパラメータファイル設定項目を定義する引継マッピングパラメータファイルテーブル部と前記引継マッピングパラメータファイルテーブル部の特殊関数を定義する特殊関数テーブル部と前記引継マッピングパラメータファイルテーブル部に設定する項目の設定パターンを定義する設定パターンテーブル部とを格納した定義データ格納部と、前記発注側の基幹コンピュータから発注データを受信して前記発注蓄積テーブル部に格納する発注データ受信処理部と、前記定義データ格納部に格納した引継マッピングパラメータファイルテーブル部及び特殊関数テーブル部から前記発注蓄積テーブル部に格納した発注データに対応した引継マッピングパラメータファイル設定項目及び特殊関数を取得し、取得した引継マッピングパラメータファイル設定項目と特殊関数と前記発注データの所定項目とを基に出荷データを生成して前記出荷蓄積テーブル部に格納する発注データ引継処理部と、前記出荷蓄積テーブル部に格納した出荷データを発注側の基幹コンピュータに送信する出荷データ送信処理部とを備えたことを特徴とする。
【０００８】
請求項２記載の発明は、前記特徴の出荷データ生成システムにおいて、前記引継マッピングパラメータファイルテーブル部が、引継ぎ先のテーブル名を設定するテーブル名引数と、引継ぎ月のフィールド名を設定するマッピング先フィールド名引数と、引継ぎ先フィールドのインデックスを指定するマッピング先フィールド位置引数と、発注蓄積テーブル部から項目を引き継ぐフラグを設定するマッピング元発注テーブル引数と、発注管理テーブル部から項目を引き継ぐフラグを設定するマッピング元発注管理テーブル引数と、特殊関数の定義を設定する特殊関数指示引数と、発注側の基幹コンピュータから指定された文字列因数とを格納し、前記発注データ引継処理部が前記引継マッピングパラメータファイルテーブル部に格納された前記引数を参照して出荷データを生成することを特徴とする。
【０００９】
請求項３記載の発明は、受信した発注データを管理する発注蓄積テーブル部と出荷データの生成に必要なデータ管理する発注管理テーブル部と発注側の基幹コンピュータへ送信する出荷データを管理する出荷蓄積テーブル部を格納した蓄積データベースと、発注データを出荷データに引き継ぐ引継マッピングパラメータファイル設定項目を定義する引継マッピングパラメータファイルテーブル部と前記引継マッピングパラメータファイルテーブル部の特殊関数を定義する特殊関数テーブル部と前記引継マッピングパラメータファイルテーブル部に設定する項目の設定パターンを定義する設定パターンテーブル部とを格納した定義データ格納部とを有する基幹コンピュータが、発注側の基幹コンピュータから所定フォーマット形式の発注データを受信し、受信した発注データを基に前記発注側の基幹コンピュータに出荷データを送信する受注側の基幹コンピュータが実行する出荷データ生成方法であって、前記基幹コンピュータが、前記発注側の基幹コンピュータから発注データを受信して前記発注蓄積テーブル部に格納する発注データ受信処理機能と、前記定義データ格納部に格納した引継マッピングパラメータファイルテーブル部及び特殊関数テーブル部から前記発注蓄積テーブル部に格納した発注データに対応した引継マッピングパラメータファイル設定項目及び特殊関数を取得し、取得した引継マッピングパラメータファイル設定項目と特殊関数と前記発注データの所定項目とを基に出荷データを生成して前記出荷蓄積テーブル部に格納する発注データ引継処理機能と、前記出荷蓄積テーブル部に格納した出荷データを発注側の基幹コンピュータに送信する出荷データ送信処理機能とを実行することを第３の特徴とする。
【００１０】
請求項４記載の発明は、前記特徴の出荷データ生成方法において、前記引継マッピングパラメータファイルテーブル部に、引継ぎ先のテーブル名を設定するテーブル名引数と、引継ぎ月のフィールド名を設定するマッピング先フィールド名引数と、引継ぎ先フィールドのインデックスを指定するマッピング先フィールド位置引数と、発注蓄積テーブル部から項目を引き継ぐフラグを設定するマッピング元発注テーブル引数と、発注管理テーブル部から項目を引き継ぐフラグを設定するマッピング元発注管理テーブル引数と、特殊関数の定義を設定する特殊関数指示引数と、発注側の基幹コンピュータから指定された文字列因数とを格納し、前記発注データ引継処理部が、前記引継マッピングパラメータファイルテーブル部に格納された前記引数を参照して出荷データを生成機能を実行することを特徴とする。
【発明の効果】
【００１１】
本発明による出荷データ生成システム及び出荷データ生成方法は、受注側の基幹コンピュータが、定義データ格納部に格納した引継マッピングパラメータファイルテーブル部及び特殊関数テーブル部から前記発注蓄積テーブル部に格納した発注データに対応した引継マッピングパラメータファイル設定項目及び特殊関数を取得し、取得した引継マッピングパラメータファイル設定項目と特殊関数と前記発注データの所定項目とを基に出荷データを生成して前記出荷蓄積テーブル部に格納する発注データ引継処理機能を実行することによって、発注側の基幹コンピュータから指定されたフォーマットの出荷データを生成して発注側の基幹コンピュータに送信することができる。
【図面の簡単な説明】
【００１２】
【図１】本発明の実施形態による出荷データ生成システムを示す図
【図２】本発明の実施形態による受注側の基幹コンピュータの機能を示す図
【図３】本発明の実施形態による発注データ蓄積手順を示すフロー図
【図４】本発明の実施形態による発注データ引継手順を示すフロー図
【図５】本発明の実施形態による出荷データ生成手順を示すフロー図
【図６】本発明の実施形態による発注蓄積テーブル部を示す図
【図７】本発明の実施形態による発注管理テーブル部を示す図
【図８】本発明の実施形態による出荷データベース蓄積テーブル部を示す図
【図９】本発明の実施形態による引継マッピングパラメータテーブル部を示す図
【図１０】本発明の実施形態による特殊関数テーブル部を示す図
【図１１】本発明の実施形態による引継マッピングパラメータの設定パターンテーブル部を示す図
【図１２】本発明の実施形態によるパラメータファイルの一例を示す図
【発明を実施するための形態】
【００１３】
以下、本発明による出荷データ生成システム及び出荷データ生成方法を図面を参照して詳細に説明する。
［構成］
本実施形態による出荷データ生成システムは、図１に示す如く、商品の発注側企業１１０に設置された基幹コンピュータ１１３及び通信部１１１と、商品の受注側企業１２０の基幹コンピュータ１００及び通信部１０６と、前記発注側企業１１０の通信部１１１と受注側企業１２０の通信部１０６とを接続するための公衆回線１０９とから構成される。前記発注側企業１１０の基幹コンピュータ１１３は、商品の在庫情報や後記する発注蓄積テーブル部他の各種情報を格納する蓄積データベース１０５と、前記通信部１０６を介して受信した発注データを受信して蓄積データベース１０５に蓄積するための発注データ受信処理部１０２と、この発注データを出荷データに変換するための定義データを格納する定義データ格納部１０４と、この定義データ格納部１０４に格納された定義データを参照して出荷データに変換する発注データ引継処理部１０３と、前記出荷データを通信部１０６を介して発注側企業１１０の基幹コンピュータ１１３に送信するための出荷データ送信処理部１０１と、図示しない制御部とを備える。なお、前記基幹コンピュータは、一般のコンピュータ同様に、ＣＰＵ（Ｃｅｎｔｒａｌ  Ｐｒｏｃｅｓｓｉｎｇ  Ｕｎｉｔ）、ワークエリアや引数を一時的に生成するメモリ、磁気ディスク装置等の記憶手段、表示部、キーボード等の入出力機器、各種インタフェース機器等のハードウェアと、ＯＳ（オペレーティングシステム）及び各種ソフトウェアを含むものである。
【００１４】
前記基幹コンピュータ１００の制御部は、図１及び図２に示す如く、発注データ受信処理部１０２を用いて発注データを受信させるための発注データ受信機能部２０１と、この受信した発注データを蓄積データベース１０５に蓄積させるための発注データ蓄積機能部２０２と、データ設定内容指定機能部２０４から指定された発注側企業毎の出荷データを生成するための設定内容情報２０６を参照し、発注データを指定された発注元用の出荷データに引き継がせるための発注データ引継機能部２０５と、この発注データ引継機能部２０５によって引き継がれた出荷データを生成させるための出荷データ生成機能部２０７と、この生成した出荷データを発注側（企業）の基幹コンピュータ１１３に送信させるための出荷データ送信機能部２０８とを実行するソフトウェアを有する。
【００１５】
前記蓄積データベース１０５は、受信した発注データを管理するための発注蓄積テーブル部（図６）と、出荷データの生成に必要なデータ管理を行うための発注管理テーブル部（図７）と、発注側へ送信する出荷データを管理するための出荷蓄積テーブル部（図８）とを格納し、前記定義データ格納部１０４は、発注データを出荷データに引き継ぐための引継マッピングパラメータファイルに設定する項目を定義するための引継マッピングパラメータファイルテーブル部（図９）と、この引継マッピングパラメータファイルテーブル部の特殊関数を定義するための特殊関数テーブル部（図１０）と、前記引継マッピングパラメータファイルテーブル部に設定する項目の設定パターンを定義するための設定パターンテーブル部（図１１）とを格納する。
【００１６】
前記発注蓄積テーブル部は、図６に示す如く、複数の発注側企業のクライアントＩＤ（Ｉｎｄｅｘ）コードと企業コードと代表取引先コードち取引先コード他の項目から成る共通キーと、発注データのレコードシーケンス番号とレコード区分とテスト区分とメッセージ種と送信者ＩＤ発行元と受信者ＩＤ発行基他の項目から成るＳＢＤＨ（Ｓｔａｎｄａｒｄ  Ｂｕｓｉｎｅｓｓ  Ｄｏｃｕｍｅｎｔ  Ｈｅａｄｅｒ）とを格納する。
【００１７】
前記発注管理テーブル部は、図７に示す如く、複数の発注側企業のクライアントＩＤコードと事前出荷予定データであるＡＳＮ（Ａｄｖａｎｃｅｄ  Ｓｈｉｐｐｉｎｇ  Ｎｏｔｉｃｅ）区分との項目から成る共通キーと、テスト区分と受信者ＩＤ発行元と更新日と更新時間の項目から成るＳＢＤＨとを格納している。
【００１８】
前記出荷蓄積テーブル部は、図８に示す如く、出荷データを管理するための複数の発注側企業のクライアントＩＤコードと企業コードと代表取引先コードと更新日と更新時間他の項目から成る共通キーを格納している。
【００１９】
前記引継マッピングパラメータファイルテーブル部は、図９に示す如く、引継マッピングパラメータファイルに設定する項目を定義するための複数の引数を格納するものあって、この引数としては、例えば、テーブル名とマッピング先フィールド位置とマッピング元発注テーブルとマッピング元発注管理テーブルと固定値と特殊関数指示と文字列が設定されている。
【００２０】
前記特殊関数テーブル部は、図１０に示す如く、前記の引数である特殊関数を定義するためのものであって、テーブル項目内の所定桁数に入力桁数が達しない場合に上位桁にゼロを挿入する「前ゼメ埋め」特殊関数と、テーブル項目の値に応じて特定の文字列への置換処理を行う「テーブル」特殊関数を定義している。
【００２１】
前記設定パターンテーブル部は、図１１に示す如く、前記引継マッピングパラメータファイルテーブル部に設定する項目（引数）の順番他の設定パターンを定義するためのものであって、例えば、パターン名「テーブル名指定」に対しては、引数「テーブル名」のみを引数とすること、パターン名「発注引継指定」に対しては、引数「マッピング先フィールド名」「マッピングフィールド位置」「マッピング元発注テーブル」を引数とすることが設定されている。
【００２２】
［動作］
前述のように構成した出荷データ生成システムは、図２に示した基幹コンピュータ１００の複数のソフトウェア機能部によって動作し、つぎに、この機能部を説明する。なお、後述の説明における引継元側とは発注企業側であり、引継先側とは受注側企業である。前記基幹コンピュータ１００のソフトウェア機能部は、前記発注データ受信機能部２０１に発注データを受信させる発注データ受信処理部１０２と、前記受信した発注データを蓄積データベース１０５に蓄積させる発注データ蓄積機能部２０２と、データ設定内容指定機能部２０４から指定された発注側企業毎の出荷データを生成する発注データ引継機能部２０５と、発注データを指定された発注元用の出荷データに引き継がせる発注データ引継機能部２０５と、前記発注データ引継機能部２０５によって引き継がれた出荷データを生成させる出荷データ生成機能部２０７と、生成された出荷データを発注側の基幹コンピュータ１１３に送信させる出荷データ送信機能部２０８とから構成され、これら機能を実行することによって、発注側のフォーマットに合致した出荷データを発注側の基幹コンピュータに送信することができる。
【００２３】
前記発注データ蓄積機能部２０２が受信した発注データを蓄積データベースに蓄積させる処理は、図３に示す如く、受信プログラムから発注蓄積プログラムを起動するステップ３０１と、発注蓄積ワークテーブルの初期化フラグが１か否かを判定するステップ３０２と、このステップ３０２において初期化フラグが１と判定したとき、発注蓄積ワークテーブル内の全データを初期化のために削除するステップ３０３と、前記ステップ３０２において初期化フラグが１でないと判定、又は前記ステップ３０３に続き、受信した発注データを発注蓄積管理ワークテーブルに登録するステップ３０４と、発注蓄積管理テーブルの初期化フラグが１か否かを判定するステップ３０５と、このステップ３０５において初期化フラグが１と判定したとき、発注蓄積ワークテーブル内の全データを削除するステップ３０６と、前記ステップ３０５において初期化フラグが１でない、又は前記ステップ３０６に続き、発注管理テーブルに発注データを登録するステップ３０７と、ワークテーブルのデータを本テーブルに登録するステップ３０８を実行することによって行われる。
【００２４】
前記発注データ引継機能部２０５が発注データを指定された発注元用の出荷データに引き継がせる処理は、図４に示す如く、出荷対象のデータを引継元側テーブルから抽出するステップＳ４０１と、引継マッピングパラメータファイルからマッピング情報を取得するステップＳ４０２と、引継元側テーブルを１レコード読み込み、列名と値をセットで変数（メモリエリア）へ格納するステップ４０３と、引継先側引継キーの値と一致するレコードを引継元側テーブルから検索するステップ４０４と、前記ステップ４０４において一致するレコードが存在するか否かを判定し、存在しないと判定したときに前記ステップ４０３に戻るステップ４０５と、前記ステップ４０５において一致するレコードが存在すると判定したとき、マッピング情報の固定値情報に「Ｆｉｘ」（固定）が指定されているか否かを判定するステップ４０６とを実行する。
【００２５】
つぎに、本処理は、前記ステップ４０６によって固定値情報に「Ｆｉｘ」（固定）が指定されていると判定したとき、マッピング情報の文字列に「ｅｍｐｔｙ」（空）が指定されているか否かを判定するステップ４０７と、前記ステップ４０７において指定されていると判定したとき、引継マッピングパラメータファイルで指定されている引継先側列名の値を空値で更新するステップ４０９と、前記ステップ４０７において指定されていないと判定したとき、引継マッピングパラメータファイルで指定されている引継先側列名の値をマッピング情報の文字列で更新するステップ４０８を実行することによって、発注データに含まれ且つ指定された発注側から指定された出荷データの文字列に引き継ぐ（置き換える）ことができる。
【００２６】
さらに、本処理は、前記ステップ４０６によって固定値情報に「Ｆｉｘ」（固定）が指定されていないと判定したとき、マッピング情報に特殊関数が指定されているか否かを判定するステップ４１０と、このステップ４１０において指定されていると判定したとき、引継マッピングパラメータファイルで指定されている引継先側列名の値を、引継元側列名の値をマッピング情報で指定されている特殊関数で処理した値で更新するステップ４１１とを実行することによって、発注側から指定されたフォーマットに合わせた特殊関数処理、例えば、桁数が異なるフォーマットを発注側指定に合わせて変換して出荷データに引き継ぐ（置き換える）ことができる。
【００２７】
本処理は、前記ステップ４１０において特殊関数が指定されていないと判定したとき、引継ぎマッピングパラメータファイルで指定されている引継側列名の値を、引継側列名の値で更新するステップ４１２と、引継元側テーブルの読み込みが完了したか否かを判定し、完了していないと判定したとき、前記ステップ４０３に戻るステップ４１３と、このステップ４１３において引継元側テーブルの読み込みが完了したと判定したとき、次の引継対象テーブルへ処理を移行するステップ４１４とを実行することによって、指定されている引継側列名を引継側列名に更新することができる。
【００２８】
前記出荷データ生成機能部２０７が前記発注データ引継機能部２０５によって引き継がれた出荷データを生成させる処理は、図５に示す如く、引継先側テーブルを１レコードずつ読み込み、カンマ区切りでファイルへ出力するステップ５０１と、全レコードの読み込み処理が終了したか否かを判定し、終了していないと判定したときに前記ステップ５０１に戻るステップ５０２と、このステップ５０において終了したと判定したとき、次の引継対象テーブルへ処理を移行するステップ５０３とを実行することによって、発注側のフォーマットに合致した出荷データを生成することができる。
【符号の説明】
【００２９】
１００  基幹コンピュータ、１０１  出荷データ送信処理部、
１０２  発注データ受信処理部、１０３  発注データ引継処理部、
１０４  定義データ格納部、１０５  蓄積データベース、
１０６  通信部、１０７  発注データ、１０８  出荷データ、１０９  公衆回線、
１１０  発注側企業、１１１  通信部、１１３  基幹コンピュータ、
１２０  受注側企業、２０１  発注データ受信機能部、
２０２  発注データ蓄積機能部、２０４  データ設定内容指定機能部、
２０５  発注データ引継機能部、２０６  設定内容情報、
２０７  出荷データ生成機能部、２０８  出荷データ送信機能部
【図１】
2012003699.tif 000003
【図２】
2012003699.tif 000004
【図３】
2012003699.tif 000005
【図４】
2012003699.tif 000006
【図５】
2012003699.tif 000007
【図６】
2012003699.tif 000008
【図７】
2012003699.tif 000009
【図８】
2012003699.tif 000010
【図９】
2012003699.tif 000011
【図１０】
2012003699.tif 000012
【図１１】
2012003699.tif 000013
【図１２】
2012003699.tif 000014